(57)【要約】      （修正有）【課題】エアデフレクタによる乾燥を有するレーシングスーツ用コートラックを提供する。【解決手段】台座２１と、頂部２２と、複数の支持用ポール２３とを含み、且つ頂部２２には軸方向貫通孔が設けられる縦型スタンド２０と、軸方向貫通孔に設置されており、空気の抽出に使用されるファン３０と、ファン３０の下方に設置されてレーシングスーツ５０を掛けるために用いられ、且つファン３０から送出された空気がレーシングスーツ５０の上方の襟口からレーシングスーツ５０内に導入され、風乾を行うコートラックとを備える。これにより、本考案は外部の空気を吸入させる導流ファンが前記レーシングスーツ内に強制的に貫入されて、自然の風により乾燥を行う。【選択図】図４
0003204405.tif 000002
【実用新案登録請求の範囲】
【請求項１】
台座と、頂部と、前記台座と前記頂部との間に設置されている複数の支持用ポールとからなり、且つ前記頂部に軸方向貫通孔が設けられている縦型スタンドと、
前記頂部の軸方向貫通孔に設置されており、空気の抽出に使用されるファンと、
前記ファンの下方に設置されており、レーシングスーツを掛けるのに用いられ、且つ前記ファンから送出される空気を前記レーシングスーツの上方の襟口から前記レーシングスーツ内に導入させ、風乾を行うコートラックと、を備えることを特徴とするエアデフレクタによる乾燥を有するレーシングスーツ用コートラック。
【請求項２】
前記縦型スタンド内に固定されており、前記コートラックの固定に用いられる横方向ポールを更に備え、
前記コートラックは前記横方向ポールの底部に固定されていることを特徴とする、請求項１に記載のエアデフレクタによる乾燥を有するレーシングスーツ用コートラック。
【請求項３】
前記ファンの送風端に設けられているダクトを更に備え、
前記ダクトは前記横方向ポールに対する孔部を有し、前記横方向ポールが前記ダクトを貫通することで、前記ダクトが前記横方向ポールに固定されていることを特徴とする、請求項２に記載のエアデフレクタによる乾燥を有するレーシングスーツ用コートラック。
【請求項４】
前記ダクトが前記コートラックの中間に跨設されており、前記ダクトの換気口が前記レーシングスーツの上方の襟口内に深く進入されていることを特徴とする、請求項３に記載のエアデフレクタによる乾燥を有するレーシングスーツ用コートラック。
【請求項５】
前記ダクトの左右両側には前記コートラックに対して縦方向になる溝部が設けられており、前記コートラックが前記ダクトの両側に収容されていると共に延出されていることを特徴とする、請求項４に記載のエアデフレクタによる乾燥を有するレーシングスーツ用コートラック。
【請求項６】
前記縦型スタンドの前記台座及び前記頂部は三角形であることを特徴とする、請求項１に記載のエアデフレクタによる乾燥を有するレーシングスーツ用コートラック。
【請求項７】
前記縦型スタンドの前記台座及び前記頂部は矩形であることを特徴とする、請求項１に記載のエアデフレクタによる乾燥を有するレーシングスーツ用コートラック。
【請求項８】
前記縦型スタンドは、２つ以上であり、横方向に並列に配置されていることを特徴とする、請求項７に記載のエアデフレクタによる乾燥を有するレーシングスーツ用コートラック。
【請求項９】
前記頂部及び前記台座は板部材により構成されており、且つ前記頂部にはレーシングキャップが置かれていることを特徴とする、請求項１に記載のエアデフレクタによる乾燥を有するレーシングスーツ用コートラック。
【請求項１０】
前記頂部の前側に設けられている操作パネルを更に備え、
前記操作パネルにはスイッチ及びタイマーが設置されていることを特徴とする、請求項１に記載のエアデフレクタによる乾燥を有するレーシングスーツ用コートラック。
【考案の詳細な説明】
【技術分野】
【０００１】
本考案は、エアデフレクタによる乾燥を有するレーシングスーツ用コートラックに関し、より詳しくは、外部の空気を吸入させる導流ファンが前記レーシングスーツ内に強制的に貫入されることで、内部が確実に乾燥される装置に関する。
【背景技術】
【０００２】
レースで使用する服装は、安全及び防風防水を確保するために、厚く重くなっており、且つ空気を通さないように気密になっているため、内部が湿ってしまい、脱ぐ際に処理が非常に面倒であった。
【先行技術文献】
【特許文献】
【０００３】
【特許文献１】台湾実用新案第Ｍ５０８２４９号明細書
【考案の概要】
【考案が解決しようとする課題】
【０００４】
従って、一般的な衣服７１と専用のレーシングスーツでは異なるため、例えば、特許文献１に記載されているワードローブ７０により乾燥を行う方法には適さない。このため、上述の特許文献１の技術に１つのファン７２を設置させるが、但し、ファン７２からワードローブ７０内部に吹き入れられる風は、専用のレーシングスーツの内部には流れず、湿気を風乾させることはできない。
【０００５】
そこで、本考案者は上記の欠点が改善可能と考え、鋭意検討を重ねた結果、合理的設計で上記の課題を効果的に改善する本考案の提案に到った。
【０００６】
本考案は、以上の従来技術の課題を解決する為になされたものである。即ち、本考案の目的は、エアデフレクタによる乾燥を有するレーシングスーツ用コートラックを提供する。すなわち、外部の空気を吸入させる導流ファンがレーシングスーツ内に強制的に貫入されることで、レーシングスーツの内部を確実に乾燥させる機能を達成させる。
【０００７】
なお、本考案の他の目的は、同時にレーシングキャップの風乾作業を行うエアデフレクタによる乾燥を有するレーシングスーツ用コートラックを提供する。
【課題を解決するための手段】
【０００８】
上述した課題を解決し、目的を達成するために、本考案に係るエアデフレクタによる乾燥を有するレーシングスーツ用コートラックは、
台座と、頂部と、台座と頂部との間に設置される複数の支持用ポールからなり、且つ頂部には軸方向貫通孔が設けられる縦型スタンドと、頂部の軸方向貫通孔に設置され、空気の抽出に使用されるファンと、ファンの下方に設置され、レーシングスーツを掛けるために用いられ、且つファンから送出される空気をレーシングスーツの上方の襟口からレーシングスーツ内に導入させ、風乾を行うコートラックとを備えることを特徴とする。
【０００９】
上述の技術的特徴は、本考案では外部の空気を吸入させる導流ファンがレーシングスーツ内に強制的に貫入されて、自然の風により自然の風により乾燥を行う。電熱により乾燥を行うわけではないため、レーシングスーツが変形または収縮により傷むことがない。また、レーシングスーツ内部に進入させて風乾を行うため、レーシングスーツ内部の湿気も確実に乾燥させる機能を達成させる。
【図面の簡単な説明】
【００１０】
【図１】従来のワードローブ構成を示す模式図である。
【図２】本考案の一実施形態を示す分解斜視図である。
【図３】本考案の一実施形態を示す斜視図である。
【図４】本考案の使用状態の模式図である。
【図５】本考案の他の一実施形態を示す模式図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００１２】
（一実施形態）
本考案の好ましい実施形態のエアデフレクタによる乾燥を有するレーシングスーツ用コートラック１０は、台座２１と、頂部２２と、台座２１と頂部２２との間に設置される複数の支持用ポール２３とを更に含み、且つ頂部２２には軸方向貫通孔２４が設けられる縦型スタンド２０と、頂部２２の軸方向貫通孔２４に設置されて空気の抽出に使用されるファン３０と、ファン３０の下方に設置されてレーシングスーツ５０を掛けるために用いられ、且つファン３０から送出される空気をレーシングスーツ５０の上方の襟口５１からレーシングスーツ５０に導入させて風乾を行うコートラック４０と、を備える（図２乃至図４参照）。
【００１３】
本実施形態において、縦型スタンド２０内に固定され、コートラック４０の固定に使用される横方向ポール２５を更に備え、コートラック４０がネジ４１により横方向ポール２５の底部に固定されるが、但しこれに限定されない。
【００１４】
なお、他の好ましい実施形態において、ファン３０の送風端はダクト３１を更に備え、ダクト３１には横方向ポール２５に対する孔部３１３が設けられ、横方向ポール２５がダクト３１を貫通させることで、ダクト３１が横方向ポール２５に固定される。
【００１５】
本実施形態において、ダクト３１がコートラック４０の中間に跨設されるため、ダクト３１の換気口３１１がレーシングスーツ５０の上方の襟口５１内に深く進入される。また、ダクト３１の左右両側にはコートラック４０に対して縦方向になる溝部３１２が設けられ、コートラック４０がダクト３１の二側に収容されると共に延出される。
【００１６】
本実施形態において、縦型スタンド２０の頂部２２及び台座２１は板部材で構成され、且つ頂部２２にはレーシングキャップ６０が置かれる。図４は本考案の使用状態を示す参考図である。ファン３０が起動されると、外部の空気が抽出され、襟口６１からレーシングスーツ５０内に導入されて風乾を行い、その後に水蒸気及び湿気がレーシングキャップ６０の袖口及び裾口から排出され、且つ同時にレーシングキャップ６０の風乾作業を行う。更には、頂部２２の前側には操作パネル２６を更に備え、操作パネル２６にはスイッチ２７及びタイマー２８が設置される。使用者がレーシングスーツ５０を掛けた後、スイッチ２７を入れてタイマー２８を設定するのみで、自動的に風乾が行われ、時間が来たら自動的に停止し、次に着る際には乾燥されたレーシングスーツ５０が用意されるため、非常に実用的である。
【００１７】
上述したように、本実施形態において、縦型スタンド２０の台座２１及び頂部２２は三角形に設置されるが、但しこれに限定されない、図５は本考案の他の好ましい実施形態の例を示す概念図である。縦型スタンド２０の台座２１及び頂部２２は矩形或いは他の形態に設置される。また、縦型スタンド２０は２つ或いは３つ以上の並列を含む。
【００１８】
上述の技術的特徴により、本考案は外部の空気を吸入させる導流用のファン３０がレーシングスーツ５０内に強制的に貫入されて、自然の風により乾燥を行う。電熱により乾燥を行うわけではないため、レーシングスーツ５０が変形または収縮により傷むことがない。また、気流をレーシングスーツ５０内部に進入させて風乾を行うため、レーシングスーツ５０内部の湿気が確実に乾燥される機能を達成させる。
【００１９】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２０】
１０  レーシングスーツ用コートラック
２０  縦型スタンド
２１  台座
２２  頂部
２３  支持用ポール
２４  軸方向貫通孔
２５  横方向ポール
２６  操作パネル
２７  スイッチ
２８  タイマー
３０  ファン
３１  ダクト
３１１  換気口
３１２  溝部
３１３  孔部
４０  コートラック
４１  ネジ
５０  レーシングスーツ
６０  レーシングキャップ
【図１】
0003204405.tif 000003
【図２】
0003204405.tif 000004
【図３】
0003204405.tif 000005
【図４】
0003204405.tif 000006
【図５】
0003204405.tif 000007